(57)【要約】【要約書】本発明は、無線ネットワークにおけるＡ／Ｖデータ伝送及び受信のための連結制御方法を提供する。本発明による無線ネットワークにおいて第１デバイスでＡ／Ｖデータを送信または受信するための連結制御方法は、第２デバイスとの連結設定を要請するために必要な連結要請情報及び第１デバイスの性能情報を含む連結要請メッセージを第２デバイスに伝送する段階と、この連結設定要請メッセージに対する応答として第２デバイスから連結応答メッセージを受信する段階と、を含んで構成する。
2010504660.tif 000002
【特許請求の範囲】
【請求項１】
調整器及び少なくとも一つのデバイスを含む無線ネットワークの第１デバイスでＡ／Ｖデータを送信または受信するための連結制御方法であって、
前記第２デバイスとの連結設定を要請するために必要な連結要請情報及び前記第１デバイスの性能情報を含む連結要請メッセージを前記第２デバイスに伝送する段階と、
前記連結設定要請メッセージに対する応答として前記第２デバイスから連結応答メッセージを受信する段階と、
を含む、連結制御方法。
【請求項２】
前記連結応答メッセージは、前記連結要請メッセージに対する応答のために必要な連結応答情報及び前記第２デバイスの性能情報を含むことを特徴とする、請求項１に記載の連結制御方法。
【請求項３】
前記第２デバイスで、前記無線ネットワークの調整器とチャネル資源割当のための帯域幅予約手順を行なう段階と、
前記第２デバイスが、前記調整器から割り当てられたチャネル資源を用いて前記第１デバイスにＡ／Ｖデータを伝送する段階と、
をさらに含むことを特徴とする、請求項１または２に記載の連結制御方法。
【請求項４】
前記第１デバイスの性能情報は、前記第１デバイスが支援できるＡ／Ｖデータのデータフォーマット情報を含むことを特徴とする、請求項３に記載の連結制御方法。
【請求項５】
前記第１デバイスの性能情報は、前記データフォーマット情報のタイプ情報をさらに含むことを特徴とする、請求項４に記載の連結制御方法。
【請求項６】
前記第２デバイスの性能情報は、前記第２デバイスが支援できるＡ／Ｖデータのデータフォーマット情報を含むことを特徴とする、請求項２に記載の連結制御方法。
【請求項７】
前記第２デバイスの性能情報は、前記データフォーマット情報のタイプ情報をさらに含むことを特徴とする、請求項６に記載の連結制御方法。
【請求項８】
前記連結要請情報は、前記第１デバイスのポート情報を含むことを特徴とする、請求項１に記載の連結制御方法。
【請求項９】
前記連結応答情報は、連結設定結果情報をさらに含むことを特徴とする、請求項２に記載の連結制御方法。
【請求項１０】
前記連結応答情報は、前記第２デバイスのポート情報をさらに含むことを特徴とする、請求項２に記載の連結制御方法。
【請求項１１】
前記第１デバイスで、前記無線ネットワークの調整器とチャネル資源割当のための帯域幅予約手順を行なう段階と、
前記第１デバイスが、前記調整器から割り当てられたチャネル資源を用いて前記第２デバイスにＡ／Ｖデータを伝送する段階と、
をさらに含むことを特徴とする、請求項１または２に記載の連結制御方法。
【請求項１２】
調整器及び少なくとも一つのデバイスを含む無線ネットワークのソースデバイスでＡ／Ｖデータ送信のための連結制御方法であって、
シンクデバイスから連結設定要請のために必要な連結要請情報及び前記シンクデバイスの性能情報を含む連結要請メッセージを受信する段階と、
前記Ａ／Ｖデータ送信のために前記無線ネットワークの調整器とチャネル資源割当のための帯域幅予約過程を行なう段階と、
前記連結要請メッセージに対する応答として連結応答メッセージを前記シンクデバイスに伝送する段階と、
を含む、連結制御方法。
【請求項１３】
前記連結応答メッセージは、前記連結要請メッセージに対する応答のために必要な連結応答情報及び前記ソースデバイスの性能情報を含むことを特徴とする、請求項１２に記載の連結制御方法。
【請求項１４】
前記シンクデバイスの性能情報は、前記シンクデバイスが支援できるＡ／Ｖデータのデータフォーマット情報を含むことを特徴とする、請求項１２または１３に記載の連結制御方法。
【請求項１５】
前記ソースデバイスの性能情報は、前記ソースデバイスが支援できるＡ／Ｖデータのデータフォーマット情報を含むことを特徴とする、請求項１３に記載の連結制御方法。
【請求項１６】
調整器及び少なくとも一つのデバイスを含む無線ネットワークでソースデバイス及びシンクデバイス間の連結設定要請のためのメッセージフォーマット構造であって、
前記シンクデバイスが前記ソースデバイスとの連結設定を要請するために必要な情報を含む連結要請情報フィールド領域と、
前記シンクデバイスの性能と関連した情報を含む性能情報フィールド領域と、
を含む、メッセージフォーマット構造。
【請求項１７】
前記性能情報フィールド領域は、前記シンクデバイスが支援するデータフォーマット情報を含む少なくとも一つの第１フィールドと、前記第１フィールドのタイプを指示する少なくとも一つの第２フィールドと、を含むことを特徴とする、請求項１６に記載のメッセージフォーマット構造。
【請求項１８】
前記連結要請情報フィールド領域は、前記シンクデバイスのポート情報を含むことを特徴とする、請求項１７に記載のメッセージフォーマット構造。
【請求項１９】
調整器及び少なくとも一つのデバイスを含む無線ネットワークでソースデバイス及びシンクデバイス間の連結設定要請に対する応答のためのメッセージフォーマット構造であって、
前記シンクデバイスで前記ソースデバイスとの連結設定要請に対する応答のために必要な情報を含む連結応答情報フィールド領域と、
前記ソースデバイスの性能と関連した情報を含むデータフォーマット情報フィールド領域と、
を含む、メッセージフォーマット構造。
【請求項２０】
前記データフォーマット情報フィールド領域は、前記ソースデバイスが伝送できるＡ／Ｖデータのデータフォーマット情報を含む少なくとも一つの第１フィールドと、前記第１フィールドのタイプを指示する少なくとも一つの第２フィールドを含むことを特徴とする、請求項１９に記載のメッセージフォーマット構造。
【請求項２１】
前記連結応答情報フィールド領域は、連結設定結果情報を含む第３フィールド及び前記ソースデバイスのポート情報を含む第４フィールドを含むことを特徴とする、請求項２０に記載のメッセージフォーマット構造。
【発明の詳細な説明】
【技術分野】
【０００１】
本発明は、無線通信システムに関するもので、より具体的には、無線通信システムにおけるＡ／Ｖデータ伝送のための連結制御方法及びそのためのデータフォーマット構造に関する。
【背景技術】
【０００２】
近年、家庭または小規模の職場のような限定された空間で比較的少ない数のデジタル機器間に無線ネットワークを形成し、これら機器間にオーディオまたはビデオデータを交換できるブルートゥース（bluetooth）、無線私設網（WPAN:  Wireless  Personal  Area  Network）技術が開発されてきている。ＷＰＡＮは、比較的近い距離で比較的少ない数のデジタル機器間に情報を交換するのに用いられることができ、これらデジタル機器間に低電力及び低費用通信を可能にする。
【０００３】
図１は、ＷＰＡＮの構成例を示す図である。図１に示すように、ＷＰＡＮは、家庭のような限定された空間内で個人デバイス(device)間に構成されたネットワークで、装置間直接通信してネットワークを構成し、アプリケーション(application)間にシームレスに情報を交換できるようにする。図１を参照すると、ＷＰＡＮは二つ以上の使用者デバイス１１〜１５で構成され、そのうち一つのデバイスは調整器（coordinator）１１として動作する。調整器１１は、ＷＰＡＮの基本タイミングを提供し、ＱｏＳ（Quality  of  Service）要求事項を制御するなどの役割を果たす。デバイスとして使用可能な装置には、コンピュータ、ＰＤＡ、ノートブック、デジタルＴＶ、カムコーダ、デジタルカメラ、プリンタ、マイク、スピーカー、ヘッドセット、バーコード読取機、ディスプレイ、携帯電話などがあり、その他いずれのデジタル機器も利用可能である。
【０００４】
既に設定された無線ネットワークで制御装置（controller）の制御下にソースデバイス（source  device）からシンクデバイス（sink  device）にＡ／Ｖ（audio  and  video）データストリームを伝送するためには、これらソースデバイスとシンクデバイス間に連結制御（connection  control）がなされなければならない。この連結制御のためのデバイス間のシグナリング（signaling）過程はできるだけ単純化させなければならないが、これは、ソースデバイスから伝送されるＡ／Ｖデータがシンクデバイスを通じてディスプレイされる過程における遅延（delay）を減らすためである。
【発明の概要】
【発明が解決しようとする課題】
【０００５】
本発明は上記従来技術の問題点を解決するためのもので、その目的は、無線ネットワークでＡ／Ｖデータを伝送するためにデバイス間に連結を設定するためのシグナリング過程を単純化するための方法を提供することにある。
【課題を解決するための手段】
【０００６】
本発明の一様相として、本発明による無線ネットワークにおける連結制御方法は、調整器及び少なくとも一つのデバイスを含む無線ネットワークの第１デバイスでＡ／Ｖデータを送信または受信するための連結制御方法であって、前記第２デバイスとの連結設定を要請するために必要な連結要請情報及び前記第１デバイスの性能情報を含む連結要請メッセージを前記第２デバイスに伝送する段階と、前記連結設定要請メッセージに対する応答として前記第２デバイスから連結応答メッセージを受信する段階と、を含んで構成されることができる。
【０００７】
本発明の他の様相として、本発明による無線ネットワークにおける連結制御方法は、調整器及び少なくとも一つのデバイスを含む無線ネットワークのソースデバイスでＡ／Ｖデータ送信のための連結制御方法であって、シンクデバイスから連結設定要請のために必要な連結要請情報及び前記シンクデバイスの性能情報を含む連結要請メッセージを受信する段階と、前記Ａ／Ｖデータ送信のために前記無線ネットワークの調整器とチャネル資源割当のための帯域幅予約過程を行なう段階と、前記連結要請メッセージに対する応答として連結応答メッセージを前記シンクデバイスに伝送する段階と、を含んで構成されることができる。
【０００８】
本発明のさらに他の様相として、本発明によるデータフォーマット構造は、調整器及び少なくとも一つのデバイスを含む無線ネットワークでソースデバイス及びシンクデバイス間の連結設定要請のためのメッセージフォーマット構造であって、前記シンクデバイスが前記ソースデバイスとの連結設定を要請するために必要な情報を含む連結要請情報フィールド領域と、前記シンクデバイスの性能と関連した情報を含む性能情報フィールド領域と、
を含んでなることができる。
【０００９】
本発明のさらに他の様相として、本発明によるデータフォーマット構造は、調整器及び少なくとも一つのデバイスを含む無線ネットワークでソースデバイス及びシンクデバイス間の連結設定要請に対する応答のためのメッセージフォーマット構造であって、前記シンクデバイスで前記ソースデバイスとの連結設定要請に対する応答のために必要な情報を含む連結応答情報フィールド領域と、前記ソースデバイスの性能と関連した情報を含むデータフォーマット情報フィールド領域と、を含んでなることができる。
【発明の効果】
【００１０】
本発明によると、無線ネットワークでＡ／Ｖデータを伝送するためにデバイス間に連結を設定するためのシグナリング過程を単純化させることが可能になる。
【図面の簡単な説明】
【００１１】
【図１】従来の技術によるＷＰＡＮの構成例を示す図である。
【図２】ＷＶＡＮの一構成例を示す図である。
【図３】本発明の一実施例を示すフローチャートである。
【図４】本発明の一実施例で使用されるＣＯＮＮＥＣＴ＿ＩＮＤＩＣＡＴＩＯＮメッセージのデータフォーマットの一例を示す図である。
【図５】本発明の一実施例でシンクデバイスのＡＶＣレイヤーからソースデバイスのＡＶＣレイヤーに伝送される連結要請メッセージのデータフォーマットの一例を示す図である。
【図６】本発明の一実施例による連結応答メッセージのフォーマットの一例を示す図である。
【発明を実施するための形態】
【００１２】
以下に図面を参照しつつ説明される本発明の好適な実施例によって本発明の構成、作用及び他の特徴が容易に理解されることができる。以下に説明される実施例は、本発明の技術的特徴が無線私設網（WPAN:  Wireless  Private  Access  Network）の一種であるＷＶＡＮ（Wireless  Video  Area  Network）に適用された例とする。ＷＶＡＮは、６０ＧＨｚ帯の周波数帯域を用いて１０ｍ以内の近距離で１０８０ｐのＡ／Ｖストリームを圧縮無しで伝送できるように４．５Ｇｂｐｓ以上のスループット（throughput）を提供できる無線ネットワークである。
【００１３】
図２に、ＷＶＡＮの一構成例を示す。このＷＶＡＮは、２つ以上の使用者デバイス２１〜２５で構成され、これらのデバイスのうち一つは調整器（coordinator）２１として動作する。調整器２１は、ＷＶＡＮの基本タイミングを提供し、ＱｏＳ（Quality  of  Service）要求事項を制御するなどの役割を果たす。すなわち、ＷＶＡＮは、物理階層としてＨＲＰ（high−rate  physical  layer）とＬＲＰ（low-rate  physical  layer）を支援する。ＨＲＰは、１Ｇｂｐｓ以上のデータ伝送速度を支援できる物理階層で、ＬＲＰは、数Ｍｂｐｓのデータ伝送速度を支援する物理階層である。ＨＲＰは、高指向性（highly  directional）のもので、ユニキャスト連結（unicast  connection）を通じて等時性（isochronous）データストリーム、非同期データ、ＭＡＣ命令語（command）及びＡ／Ｖ制御データの伝送に用いられる。ＬＲＰは、指向性または全方向性（omni-directional）モードを支援し、ユニキャストまたは放送を通じてビーコン、非同期データ、ＭＡＣ命令語の伝送などに用いられる。
【００１４】
図３は、本発明の好適な一実施例によるフローチャートで、既に設定されたＷＶＡＮでソースデバイスからシンクデバイスにＡ／Ｖデータストリームを伝送するために連結（connection）を設定する過程を説明するためのフローチャートである。図３の例では、シンクデバイスがＷＶＡＮの調整器（coordinator）として動作するが、別のデバイスが調整器として動作しても良い。各デバイスは、プロトコル階層として物理階層（ＰＨＹ）、媒体接続階層（ＭＡＣ）及びＡＶＣ階層を含んで構成される。ＡＶＣ階層は、ＡＶＣメッセージを用いてＷＶＡＮにおいてソースデバイスとシンクデバイス間でＡ／Ｖストリーム連結を制御し、他のデバイスを制御（電源オン／オフ（on/off）、play/stop等）し、クロック同期（ピクセルクロック、オーディオクロック、オーディオ及びビデオ間の同期）を制御する。
【００１５】
図３を参照すると、シンクデバイスのＡＶＣレイヤーは、該当のソースデバイスからＣＯＮＮＥＣＴ＿ＩＮＤＩＣＡＴＩＯＮメッセージを受ける［Ｓ３１］、または、ＣＯＮＮＥＣＴ＿ＩＮＤＩＣＡＴＩＯＮメッセージを受けなくても自発的にソースデバイスとの連結を設定するためにシンクデバイスのＭＡＣ／ＰＨＹレイヤーにＣＯＮＮＥＣＴ．ｒｅｑｕｅｓｔプリミティブを伝送し［Ｓ３２］、これに対する応答としてＭＡＣ／ＰＨＹレイヤーからＣＯＮＮＥＣＴ．ｒｅｓｐｏｓｅプリミティブを受信する［Ｓ３３］。シンクデバイスのＡＶＣレイヤーは、ソースデバイスとの連結設定を要請するためにソースデバイスのＡＶＣレイヤーに連結要請メッセージＣＯＮＮＥＣＴ＿ＲＥＱＵＥＳＴ＿ＦＯＲ＿ＦＡＳＴ＿ＳＴＡＲＴを伝送する［Ｓ３４］。
【００１６】
図４は、ＣＯＮＮＥＣＴ＿ＩＮＤＩＣＡＴＩＯＮメッセージのデータフォーマットの一例を示す図である。このＣＯＮＮＥＣＴ＿ＩＮＤＩＣＡＴＩＯＮメッセージは、ソースデバイスがシンクデバイスにオーディオデータ及び／またはビデオデータ（Ａ／Ｖデータ）を伝送することを希望する場合、そのソースデバイスにより伝送される。図４で、‘Ｏｐｃｏｄｅ’フィールドは、メッセージの類型を示し、ＶＰフィールドは、ソースデバイスがビデオデータのためのポートを要求する場合は‘１’に設定され、そうでない場合は‘０’に設定される。ＡＰフィールドは、ソースデバイスがオーディオデータのためのポートを要求する場合は‘１’に設定され、そうでない場合は‘０’に設定される。ＰＩＤフィールドは、ポート要求ＩＤ（port  request  ID）を含むフィールドで、ソースデバイスが同一シンクデバイスに複数のポートを要求する場合には互いに異なる値を含み、そうでない場合は‘０’に設定される。
【００１７】
また、連結要請メッセージは、ソースデバイスとの連結設定要請のために必要な情報及びシンクデバイスの性能（capability）を知らせるための情報を含む。Ａ／Ｖデータの場合は、様々なオーディオフォーマット及びビデオフォーマットで構成されることができ、デバイス別に支援可能なＡ／Ｖデータフォーマットが異なることがあるため、シンクデバイスはソースデバイスに連結要請をしながら自身の性能情報を一緒に伝送する。
【００１８】
図５は、シンクデバイスのＡＶＣレイヤーからソースデバイスのＡＶＣレイヤーに伝送される連結要請メッセージのデータフォーマットの一例を示す図である。図５で、連結要請メッセージは、動作コードとして該当のメッセージの類型を表す‘Ｏｐｃｏｄｅ’フィールドと、ソースデバイスとの連結設定要請のために必要な情報を含む連結要請情報フィールド領域‘Ａ’と、シンクデバイスの性能情報を含む性能情報フィールド領域‘Ｂ’とを含んでなる。連結要請情報フィールド領域‘Ａ’は、ＰＩＤフィールド、Ｒフィールド、ＶＰフィールド、ＡＰフィールド及び‘Ｄｅｓｔ  Ｐｏｒｔ’フィールドを含み、性能情報フィールド領域‘Ｂ’は、少なくとも一つの‘Ｆｏｒｍａｔ  ｔｙｐｅ’フィールドと少なくとも一つの‘Ｆｏｒｍａｔ  ｄａｔａ’フィールドを含む。
【００１９】
ＰＩＤフィールドは、ポート要請ＩＤ（port  request  ID）を含む。シンクデバイスがソースデバイスから複数のポート要請を受ける場合、ＰＩＤフィールドは相異なる値に設定される。シンクデバイスがソースデバイスからＣＯＮＮＥＣＴ＿ＩＮＤＩＣＡＴＩＯＮメッセージを受信した場合、ＰＩＤフィールドは受信したＣＯＮＮＥＣＴ＿ＩＮＤＩＣＡＴＩＯＮメッセージに含まれた値に設定され、そうでない場合は‘０’に設定される。Ｒフィールドは、留保された（reserved）フィールドである。ＶＰフィールドはあて先ポート（destination  port）がビデオデータのために使われる場合は‘１’に設定され、そうでない場合は‘０’に設定される。シンクデバイスがソースデバイスからＣＯＮＮＥＣＴ＿ＩＮＤＩＣＡＴＩＯＮメッセージを受信した場合、ＶＰフィールドは、受信したＣＯＮＮＥＣＴ＿ＩＮＤＩＣＡＴＩＯＮメッセージに含まれた値に設定される。ＡＰフィールドはあて先ポートがオーディオデータのために使われる場合は‘１’に設定され、そうでない場合は‘０’に設定される。シンクデバイスがソースデバイスからＣＯＮＮＥＣＴ＿ＩＮＤＩＣＡＴＩＯＮメッセージを受信した場合、ＡＰフィールドは、受信したＣＯＮＮＥＣＴ＿ＩＮＤＩＣＡＴＩＯＮメッセージに含まれた値に設定される。‘Ｄｅｓｔ  ｐｏｒｔ’フィールドは、あて先ポートを指示するフィールドで、シンクデバイスのポート情報を含む。
【００２０】
‘Ｆｏｒｍａｔ  ｔｙｐｅ’フィールドは、‘Ｆｏｒｍａｔ  ｄａｔａ’フィールドに含まれるデータのタイプに関する情報を含む。図５で、‘Ｆｏｒｍａｔ  ｔｙｐｅ’として‘ＥＤＩＤ’、‘Ａｕｄｉｏ  Ｉｎｆｏ’、‘Ｌｉｐｓｙｎｃ’を例示しており、それぞれに対する‘Ｆｏｒｍａｔ  ｄａｔａ’として‘ＥＤＩＤ  ｄａｔａ’、‘Ａｕｄｉｏ＿ＩＮＦＯ  ｄａｔａ’、‘Ｌｉｐｓｙｎｃ  ｄａｔａ’を例示している。図５に示す‘Ｆｏｒｍａｔ  ｄａｔａ’及び‘Ｆｏｒｍａｔ  ｔｙｐｅ’は例示的なもので、連結要請メッセージは、シンクデバイスが支援する任意のビデオデータ及び／またはオーディオデータのデータフォーマットと関連した情報を含んでも良い。
【００２１】
ソースデバイスのＡＶＣレイヤーは、シンクデバイスとの連結設定のためにＭＡＣ／ＰＨＹレイヤーにＣＯＮＮＥＣＴ．ｒｅｑｕｅｓｔプリミティブを伝達し、それに対する応答としてＭＡＣ／ＰＨＹレイヤーからＣＯＮＮＥＣＴ．ｒｅｓｐｏｎｓｅプリミティブを受信する［Ｓ３６］。
【００２２】
ソースデバイスのＡＶＣレイヤーは、シンクデバイスから受信した連結要請メッセージに含まれたシンクデバイスの性能情報に基づいて、シンクデバイスに伝送するＡ／Ｖデータのデータフォーマットを決定する。この時、ソースデバイスのＡＶＣレイヤーは、シンクデバイスの性能の範囲内で伝送するＡ／Ｖデータのデータフォーマットを決定する。すなわち、ソースデバイスは、シンクデバイスにより支援されうるようなオーディオ及びビデオフォーマットを伝送しなければならない。もし、ソースデバイスの持っているＡ／Ｖデータの容量がシンクデバイスの性能範囲を外れる場合、ソースデバイスはＡ／Ｖデータのフォーマットを変更させ、シンクデバイスの性能に合わせれば良い。
【００２３】
ソースデバイスのＡＶＣレイヤーは、決定されたＡ／Ｖデータのデータフォーマット情報に基づいて帯域幅を予約することを指示するために、ＭＡＣ/ＰＨＹレイヤーにＢＷ＿ＲＥＳＥＲＶＡＴＩＯＮ．ｒｅｑプリミティブを伝送する［Ｓ３７］。このＢＷ＿ＲＥＳＥＲＶＡＴＩＯＮ．ｒｅｑプリミティブは、算出されたデータレート情報を含む。
【００２４】
ソースデバイスのＭＡＣレイヤーは、調整器のＭＡＣレイヤーと帯域幅予約（bandwidth  reservation）手順を行なう［Ｓ３８］。帯域幅予約手順によってソースデバイスには調整器からＡ／Ｖデータ伝送のための無線資源が割り当てられる。帯域幅予約手順が成功的に終了すると、ソースデバイスのＭＡＣレイヤーはＡ／ＶレイヤーにＢＷ＿ＲＥＳＥＲＶＡＴＩＯＮ．ｒｓｐプリミティブを伝達し、帯域幅が成功的に割り当てられたことを知らせる［Ｓ３９］。
【００２５】
ソースデバイスのＡＶＣレイヤーは、シンクデバイスのＡＶＣレイヤーに連結応答メッセージＣＯＮＮＥＣＴ＿ＲＥＳＰＯＮＳＥ＿ＦＯＲ＿ＦＡＳＴ＿ＳＴＡＲＴを伝送する［Ｓ４０］。この連結応答メッセージは、連結要請メッセージに対する応答のために必要な連結応答情報及びソースデバイスの性能情報を含む。この連結応答情報は、連結設定結果情報及びソースデバイスのポート情報を含み、ソースデバイスの性能情報は、ソースデバイスが支援できるＡ／Ｖデータのデータフォーマット情報を含む。
【００２６】
図６は、連結応答メッセージのフォーマットの一例を示す図である。図６で、連結応答メッセージは、‘Ｏｐｃｏｄｅ’フィールド、連結応答情報フィールド領域‘Ｃ’と、データフォーマット情報フィールド領域‘Ｄ’とを含んで構成される。連結応答情報フィールド領域‘Ｃ’は、‘Ｒｅｓｕｌｔ  Ｃｏｄｅ’フィールド、Ｒフィールド、ＶＰフィールド、ＡＰフィールド、‘Ｄｅｓｔ  Ｐｏｒｔ’フィールド及び‘Ｓｒｃ  Ｐｏｒｔ’フィールドを含み、データフォーマット情報フィールド領域‘Ｄ’は、ソースデバイスが支援できるＡ／Ｖデータのデータフォーマット情報として少なくとも一つの‘Ｆｏｒｍａｔ  ｔｙｐｅ’フィールドと少なくとも一つの‘Ｆｏｒｍａｔ  ｄａｔａ’フィールドを含む。
【００２７】
ＶＰフィールド、ＡＰフィールド及び‘Ｄｅｓｔ  Ｐｏｒｔ’フィールドは、図５で説明した通りである。‘Ｒｅｓｕｌｔ  Ｃｏｄｅ’フィールドは、連結要請に対する結果を含むフィールドで、連結要請が受諾されたか（Accepted）または拒絶されたか（Rejected）などに関する情報を含む。‘Ｓｒｃ  Ｐｏｒｔ’フィールドは、ソースデバイスのポート情報を含むフィールドである。‘Ｆｏｒｍａｔ  ｔｙｐｅ’フィールドは、‘Ｆｏｒｍａｔ  ｄａｔａ’フィールドに含まれた情報のタイプを示す。‘Ｆｏｒｍａｔ  ｄａｔａ’フィールドは、ソースデバイスが伝送できるＡ／Ｖデータのデータフォーマットなどのような情報を含む。
【００２８】
ソースデバイスは、シンクデバイスに、帯域幅予約手順で予約されたチャネル資源を通じてＡ／Ｖストリームを伝送する［Ｓ４１］。図３の実施例で帯域幅予約手順（Ｓ３７〜Ｓ３９）及び連結応答メッセージ伝送過程（Ｓ４０）は、その順序をかえて行っても良い。すなわち、ソースデバイスがシンクデバイスに連結応答メッセージを伝送した後に帯域幅予約手順を行なうことも可能である。
【００２９】
一方、図３の実施例とは違い、ソースデバイスが連結要請メッセージをシンクデバイスに伝送することによって連結制御手順を開始し、シンクデバイスはソースデバイスに連結応答メッセージを伝送する方式の連結制御方法が考えられる。この場合、連結要請メッセージは、連結設定要請のための情報及びソースデバイスの性能情報を含み、連結応答メッセージは、連結応答情報及びシンクデバイスの性能情報を含む。その他の手順及びそれらの具体的内容は、図３の実施例を参照すれば良い。
【００３０】
以上で使われた用語は別のものに取り替えることができる。例えば、デバイスは、使用者装置（または機器）、ステーション（station）等に、調整器は、調整（または制御）装置、調整（または制御）デバイス、調整（または制御）ステーション、コーディネータ（coordinator）、ＰＮＣ（Piconet  coordinator）などに変更して使用可能である。また、以上の実施例では、本発明の技術特徴がＷＶＡＮに適用された例を中心にして説明したが、本発明の技術的特徴は、ピア・ツウ・ピア（peer-to-peer）通信システムまたは他の無線ネットワークシステムでも適用可能である。
【００３１】
以上の実施例は、本発明の構成要素と特徴が所定の形態で結合されたものである。各構成要素または特徴は別の明示的な言及がない限り選択的なものとして考慮されるべきである。各構成要素または特徴は、他の構成要素や特徴と結合しない形態で実施されても良く、一部構成要素及び／または特徴を結合させて本発明の実施例を構成しても良い。本発明の実施例で説明される動作の順序は変更可能である。ある実施例の一部構成や特徴は他の実施例に含まれることができ、または、他の実施例の対応する構成または特徴と取り替えられることができる。また、特許請求の範囲で明示的な引用関係のない請求項を結合させて実施例を構成したり、出願後の補正により新しい請求項として含めることもできることは明らかである。
【００３２】
本発明による実施例は、様々な手段、例えば、ハードウェア、ファームウェア（firmware）、ソフトウェアまたはそれらの結合などにより具現されることができる。ハードウェアによる具現の場合、本発明の実施例は一つまたはそれ以上のＡＳＩＣｓ（application  specific  integrated  circuits）、ＤＳＰｓ（digital  signal  processors）、ＤＳＰＤｓ（digital  signal  processing  devices）、ＰＬＤｓ（programmable  logic  devices）、ＦＰＧＡｓ（field  programmable  gate  arrays）、プロセッサ、コントローラ、マイクロコントローラ、マイクロプロセッサなどにより具現されることができる。
【００３３】
ファームウエアやソフトウェアによる具現の場合、本発明の一実施例は、以上で説明された機能または動作を行なうモジュール、手順、関数などの形態で具現されることができる。ソフトウェアコードはメモリユニットに記憶されてプロセッサーにより駆動されることができる。このメモリユニットはプロセッサ内部または外部に位置し、公知の様々な手段によりプロセッサとデータを交換することができる。
【００３４】
以上で説明した本発明の属する技術分野における当業者は、本発明がその技術的思想や必須特徴を変更することなく他の具体的な形態に実施できるということを理解することができる。したがって、以上で説明された実施例はいずれの面においても例示的であり、限定的に解釈されてはいけない。本発明の範囲は、上記の詳細な説明ではなく後述する特許請求の範囲によって定められ、よって、特許請求の範囲上の意味及び範囲そしてその同等概念から導き出される変更または変形された形態はいずれも本発明の範囲に含まれるものと解釈されるべきである。
【産業上の利用可能性】
【００３５】
本発明は、無線ネットワークシステムで適用可能である。
【図１】
2010504660.tif 000003
【図２】
2010504660.tif 000004
【図３】
2010504660.tif 000005
【図４】
2010504660.tif 000006
【図５】
2010504660.tif 000007
【図６】
2010504660.tif 000008
【国際調査報告】
2010504660.tif 000009
2010504660.tif 000010
2010504660.tif 000011